(57)【要約】【課題】確実にＰＴＰシートを保持することができ、簡単に開封することができ、使用しやすいＰＴＰホルダーを提供する。【解決手段】プラスチック成形体４２に破断可能な蓋材シート４６が貼り付けられたＰＴＰシート４０の、突出部４２ａが差し込まれる透孔２４を有する表片１４を備える。表片１４に折り重ね用折罫線１６を介して連続し、ＰＴＰシート４０の蓋材シート４６側の面を覆う裏片１８を備える。裏片１８に開閉用折罫線２０を介して連続し、表片１４を覆う覆い片２２を有する。表片１４と裏片１８を二つ折りして、折り重ね用折罫線１６近傍の一部を糊付けして互いに重ねる。ＰＴＰシート４０を表片１４と裏片１８の間に入れ、ＰＴＰシート４０を保持する。覆い片２２の端縁部に、外側に突出する差込突起３４を備える。表面１４に、差込突起３４が差し込まれて係止される差込孔２８を有する。【選択図】図１
0003218547.tif 000002
【実用新案登録請求の範囲】
【請求項１】
収容物を内側に収容した突出部と前記突出部の周囲に設けられたフランジ部を有するプラスチック成形体に、破断可能な蓋材シートが貼り付けられて、前記突出部の開口部が閉鎖されたＰＴＰシートが取り付けられてこれを保護するＰＴＰホルダーにおいて、
前記ＰＴＰホルダーは、前記ＰＴＰシートの前記プラスチック成形体側の面を覆い前記突出部が差し込まれる透孔が設けられている表片と、前記表片に折り重ね用折罫線を介して連続し前記ＰＴＰシートの前記蓋材シート側の面を覆う裏片と、前記裏面に開閉用折罫線を介して連続し前記表片を覆う覆い片が設けられ、
前記表片と前記裏片は、前記折り重ね用折罫線を介して二つ折りされ、前記折り重ね用折罫線と前記透孔の間の一部を糊付けして互いに重ねられ、前記表片と前記裏片を弾性変形させて開いて、前記ＰＴＰシートを前記表片と前記裏片の間に入れ、前記表片と前記裏片の弾性変形を復元して前記ＰＴＰシートを保持するものであり、
前記覆い片の前記開閉用折罫線と反対側の端縁部には、外側に突出する差込突起が設けられ、前記表面には、前記差込突起が差し込まれて係止され前記覆い片が前記表片に閉じられる差込孔が形成され、前記覆い片を弾性変形させることにより前記差込突起が前記差込孔から引き抜かれて係止が解除され、前記覆い片には、前記覆い片を弾性変形させる際に保持する手がかり部が設けられていることを特徴とするＰＴＰホルダー。
【請求項２】
前記手がかり部は、前記差込突起の基端部の近傍に形成され前記差込突起の突出方向に交差する方向に長いスリット部であり、前記スリット部は、前記覆い片を表裏方向に貫通して形成され、
前記覆い片を開く時は、前記スリット部に指を入れて前記スリット部の側縁部に指を引っ掛けて前記開閉用折罫線側に移動させて前記覆い片を弾性変形させ、前記差込突起を前記差込孔から引き抜くことができる請求項１記載のＰＴＰホルダー。
【請求項３】
前記手がかり部は、前記覆い片の、前記開封用折罫線と反対側の端縁部で、前記差込突起以外の部分に設けられた押し突起であり、前記押し突起は前記差込突起より長く、前記覆い片を前記表片に重ねた時に前記表片よりも外側に突出して形成され、
前記覆い片を開く時は、前記押し突起を前記表片の前記開閉用折罫線側に移動させて前記覆い片を弾性変形させ、前記差込突起を前記差込孔から引き抜くことができる請求項１記載のＰＴＰホルダー。
【請求項４】
前記表片の、前記裏折り重ね用折罫線と反対側の側縁部の両端には外側に突出する係止凸部が設けられ、前記覆い片と前記裏片の間に位置する前記開閉用折罫線には前記係止凸部が差し込まれる係止溝部が形成され、前記表片と前記裏片が重ねられた時、前記係止凸部の先端は、前記係止開閉用折罫線を超えて前記覆い片に達し、前記覆い片を前記開閉用折罫線で折って前記表面に重ねると、前記係止凸部が前記係止溝部に差し込まれ、前記覆い片の前記表片側の面の、前記係止溝部の側縁部に前記係止凸部が当接し、前記覆い片が開かなくなる方向に付勢し、前記表片は前記係止凸部が前記覆い片の側縁部に押し付けられ前記裏片に閉じられる請求項１記載のＰＴＰホルダー。
【請求項５】
前記ＰＴＰホルダーには、前記ＰＴＰシートに収容された収容物に関する情報等が表示されている請求項１記載のＰＴＰホルダー。
【考案の詳細な説明】
【技術分野】
【０００１】
本考案は、医療用の錠剤等が入ったＰＴＰシートを保持するＰＴＰホルダーに関する。
【背景技術】
【０００２】
ＰＴＰシートは、医療用の錠剤等を収容する用途に広く使用されている。ＰＴＰシートに紙製等のＰＴＰホルダーを取り付けて、取り扱いを容易にするとともに、ＰＴＰホルダーに錠剤についての情報を印刷して、多くの情報を消費者に伝えるものがある。このようなＰＴＰホルダーとしては、種々のものが提案されている。
【０００３】
例えば、特許文献１に開示されている薬剤包装シートの収納ケースは、薬剤包装シートを保持する台板の一側に中板を設けるとともに、他方に蓋板を設けて、それぞれ折目を介して連接している。台板には薬剤包装シートから薬剤を取り出す取出穴を設け、中板には薬剤包装シートの凸部を突出させる貫穴を設けている。さらに、中板の先端縁に膨出した差込片を、台板と蓋板の稜部に差込穴を、それぞれ形成し、中板を台板に重なるように折り曲げて、台板と中板の間に薬剤包装シートを挟み、蓋板を閉じる方向に折り曲げると、差込片が差込穴に差し込まれる。また、蓋板の先端縁には封止片が形成され、中板の内側部には封止切込が設けられ、薬剤包装シートに取り付ける時は、蓋板を完全に閉じるまで折り曲げ、封止片を封止切込に差し込む。そして、薬剤を服用する際には、封止片を封止切込から引き抜いて蓋板を開けると、薬剤包装シートの凸突部が露出し、凸部を指で押して封止しているアルミ箔を突き破ることにより、取付穴から薬剤を取り出し服用する。
【先行技術文献】
【特許文献】
【０００４】
【特許文献１】特開２００３−２２６３７９号公報
【考案の概要】
【考案が解決しようとする課題】
【０００５】
上記背景技術の場合、薬剤を服用する際には、封止片を封止切込から引き抜いて蓋板を開ける作業が面倒であり、蓋板の先端縁と中板との狭い隙間に指をかけたり、蓋板の封止片から離れた側縁部に指をかけたりして、蓋板を持ち上げて作業封止片を引き抜くものであり、細かい作業や力を使う作業等を必要とするものである。従って、特に高齢者等には開封し難いものである。また、この収納ケースは、中板の先端縁に膨出した差込片を、台板と蓋板の稜部に差込穴に差し込んで二つ折り状態とした中板と台板の間に、薬剤包装シートを挟んで保持するだけであり、薬剤包装シートを保持する強度が十分ではなく、不用意に落ちる可能性がある。
【０００６】
この考案は、上記背景技術の問題点に鑑みてなされたものであり、確実にＰＴＰシートを保持することができるとともに、簡単に開封することができ、使用しやすいＰＴＰホルダーを提供することを目的とする。
【課題を解決するための手段】
【０００７】
本考案は、収容物を内側に収容した突出部と前記突出部の周囲に設けられたフランジ部を有するプラスチック成形体に、破断可能な蓋材シートが貼り付けられて、前記突出部の開口部が閉鎖されたＰＴＰシートが取り付けられて、これを保護するＰＴＰホルダーである。前記ＰＴＰホルダーは、前記ＰＴＰシートの前記プラスチック成形体側の面を覆い前記突出部が差し込まれる透孔が設けられている表片と、前記表片に折り重ね用折罫線を介して連続し前記ＰＴＰシートの前記蓋材シート側の面を覆う裏片と、前記裏面に開閉用折罫線を介して連続し前記表片を覆う覆い片が設けられている。
【０００８】
前記表片と前記裏片は、前記折り重ね用折罫線を介して二つ折りされ、前記折り重ね用折罫線と前記透孔の間の一部を糊付けして互いに重ねられ、前記表片と前記裏片を弾性変形させて開いて前記ＰＴＰシートを前記表片と前記裏片の間に入れ、前記表片と前記裏片の弾性変形を復元して前記ＰＴＰシートを保持することができる。前記覆い片の前記開閉用折罫線と反対側の端縁部には、外側に突出する差込突起が設けられ、前記表面には、前記差込突起が差し込まれて係止され前記覆い片が前記表片に閉じられる差込孔が形成され、前記覆い片を弾性変形させることにより前記差込突起が前記差込孔から引き抜かれて係止が解除され、前記覆い片には、前記覆い片を弾性変形させる際に保持する手がかり部が設けられている。
【０００９】
前記手がかり部は、前記差込突起の基端部の近傍に形成され前記差込突起の突出方向に交差する方向に長いスリット部である。前記スリット部は、前記覆い片を表裏方向に貫通して形成され、長手方向の幅が、長手方向の中心付近が広くなる紡錘形である。前記覆い片を開く時は、前記スリット部に指を入れて前記スリット部の側縁部に指を引っ掛けて前記開閉用折罫線側に移動させて前記覆い片を弾性変形させ、前記差込突起を前記差込孔から引き抜く。
【００１０】
前記手がかり部は、前記覆い片の、前記開封用折罫線と反対側の端縁部で、前記差込突起以外の部分に設けられた押し突起であり、前記押し突起は前記差込突起より長く突出し、前記覆い片を前記表片に重ねた時に前記表片よりも外側に突出している。前記覆い片を開く時は、前記押し突起を前記表片の側縁部と一致する位置まで押して前記覆い片を弾性変形させ、前記差込突起を前記差込孔から引き抜く。
【００１１】
前記表片と前記裏片は、互いにほぼ同じ形状であり、前記表片の前記裏面と反対側の側縁部の両端には外側に突出する係止凸部が設けられ、前記覆い片と前記裏片の間に位置する前記開閉用折罫線には前記係止凸部が差し込まれる係止溝部が形成されている。前記表片と前記裏片が重ねられた時、前記係止凸部の先端は、前記係止開閉用折罫線を超えて前記覆い片に達し、前記覆い片を前記開閉用折罫線で折って前記表面に重ねると、前記係止凸部が前記係止溝部に差し込まれ、前記覆い片の前記表片側の面の、前記係止溝部の側縁部に前記係止凸部が当接し、二つ折り状態を維持する。
【００１２】
前記ＰＴＰホルダーには、前記ＰＴＰシートに収容された収容物に関する情報等が表示されている。
【００１３】
前記裏片には、前記前記ＰＴＰシートの前記プラスチック成形体側の前記突出部に対向する位置に、前記収容物を取り出す透孔が設けられている。
【考案の効果】
【００１４】
本考案のＰＴＰホルダーは、簡単な構造で、ＰＴＰシートを簡易な作業で確実に取り付けて包装することができ、ＰＴＰシートを保護し、ＰＴＰシートの蓋材シートが不用意に破れたり内容物が飛び出したりすることを防ぐ。さらに、ＰＴＰシートに簡単に取り付けることができるため、薬局等で包装する工程が簡単で、作業効率が良く、使用者自身でも包装することができる。開封する時は、手がかり部を使って簡単に開封することができ、便利である。
【図面の簡単な説明】
【００１５】
【図１】この考案の第一実施形態のＰＴＰホルダーの包装工程を示す斜視図である。
【図２】この考案の第一実施形態のＰＴＰホルダーの包装工程を示す斜視図である。
【図３】この考案の第一実施形態のＰＴＰホルダーの斜視図である。
【図４】この考案の第一実施形態の展開図である。
【図５】この考案の第一実施形態のＰＴＰホルダーの包装工程を示す斜視図である。
【図６】この考案の第一実施形態のＰＴＰホルダーの開封工程を示す斜視図である。
【図７】この考案の第二実施形態の展開図である。
【図８】この考案の第二実施形態のＰＴＰホルダーの斜視図である。
【図９】この考案の第二実施形態のＰＴＰホルダーの開封工程を示す斜視図である。
【考案を実施するための形態】
【００１６】
以下、この考案の実施形態について図面に基づいて説明する。図１〜図４はこの考案の第一実施形態を示すもので、この実施形態のＰＴＰホルダー１０は、紙製等の一枚のシートで形成された包装体形成片１２を組み立てて設けられている。図４は、包装体形成片１２を表面から見た展開図であり、包装体形成片１２には、後述するＰＴＰシート４０を表面から覆う表片１４と、表片１４に折り重ね用折罫線１６を介して連続しＰＴＰシート４０の裏面を覆う裏片１８と、裏片１８に開閉用折罫線２０を介して連続し表片１４を覆う覆い片２２が設けられている。
【００１７】
表片１４は、一方向に長い矩形であり、ＰＴＰシート４０よりも少し大きく形成されている。表片１４には、ＰＴＰシート４０の突出部４２ａが差し込まれる複数個の透孔２４が設けられ、ここでは１０個の透孔が、長手方向に沿って５個ずつ、２列に並んで設けられている。表片１４の、長手方向に沿う一方の側縁部１４ａには、外側に向かって突出する係止凸部２６が設けられている。係止凸部２６は略矩形であり、側縁部１４ａの両端に形成されている。側縁部１４ａと反対側の側縁部には、裏片１８との間を区切る折り重ね用折罫線１６が設けられ、折り重ね用折罫線１６の近傍で、折り重ね用折罫線１６の中間付近には、透孔２４との間に、差込孔２８が設けられている。差込孔２８の形状は、折り重ね用折罫線１６に対して平行な直線と、折り重ね用折罫線１６とは反対側に膨出する円弧で形成されている。直線の両端部には、短い切断線が設けられ、切断線は差込孔２８から離れるにつれて折り重ね用折罫線１６から離れる方向に沿って設けられている。表片１４と裏片１８の間に位置する折り重ね用折罫線１６は、断続する切断線と、押し罫線で形成されている。
【００１８】
裏片１８は、表片１４とほぼ同じ形状の矩形であり、表片１４に折り重ね用折罫線１６で折って互いに重ねた時に、透孔２４に対向する位置に、ほぼ同形状の透孔３０が同じ数で形成されている。裏片１８の、折り重ね用折罫線１６とは反対側の側縁部には、覆い片２２との間を区切る開閉用折罫線２０が設けられている。開閉用折罫線２０の両端には、裏片１８の一部が開閉用折罫線２０から所定の間隔で切り欠かれて係止溝部３２が設けられている。係止溝部３２の開閉用折罫線２０に対して平行な方向の長さは、表片１４の係止凸部２６が差し込み可能な長さである。裏片１８と覆い片２２の間に位置する開閉用折罫線２０も、係止溝部３２以外の部分は押し罫線で形成されている。
【００１９】
覆い片２２の形状は、連接する裏片１８に比べて、連接している幅方向の長さがほぼ同じであり、連接方向の長さは、裏片１８より少し短い矩形である。覆い片２２の、開閉用折罫線２０とは反対側の側縁部２２ａには、外側に向かって突出する差込突起３４が設けられている。差込突起３４は、側縁部２２ａの中間に位置している。差込突起３４は、台形状であり、先端部は側縁部２２ａに対して平行な直線であり、側縁部２２ａに対して平行な幅は、先端部が細く、側縁部２２ａに接する基端部が太くなっている。
【００２０】
側縁部２２ａの近傍で、側縁部２２ａの中間付近には、覆い片２２を開封する際の手がかり部であるスリット部３６が設けられている。スリット部３６は、覆い片２２を表裏方向に貫通して形成され、スリット部３６の形状は、差込突起３４の突出方向に交差する方向に長く形成され、長手方向の幅は、長手方向の中心付近が広くなる紡錘形である。覆い片２２の、開閉用折罫線２０の両端には、係止溝部３２の端部に連続する短い切断線３３が各々設けられている。
【００２１】
包装体形成片１２の表面又は裏面には、収容する収容物についての情報等が印刷された印刷部３８が設けられている。透孔２４の近傍に、使用した日付や時間を記入する欄を印刷してもよい。
【００２２】
ここで、ＰＴＰホルダー１０に収容するＰＴＰシート４０について説明する。ＰＴＰシート４０は、プラスチック成形体４２が設けられ、プラスチック成形体４２には、収容物である錠剤４４を収容する突出部４２ａと、突出部４２ａの周縁部のフランジ部４２ｂが設けられている。ここでは、１０個の突出部４２ａが、５個ずつ２列に並んで設けられている。プラスチック成形体４２のフランジ部４２ｂには、突出部４２ａの突出方向と反対の面に薄いアルミ製の蓋材シート４６が貼り付けられ、突出部４２ａの開口部が閉鎖されている。
【００２３】
次に、ＰＴＰホルダー１０の組立方法について説明する。ここでは、図４が包装体形成片１２の表面を見たものであり、表面が凸になる折り方を正折り、そして裏面が凸になる折り方を逆折りと称する。まず、表片１４の裏面の、折り重ね用折罫線１６の両端の近傍に、糊４８を塗布する。糊４８は、透孔２４と折り重ね用折罫線１６の間の一部に小さい面積で塗布する。ここでは、差込孔２８の両側に塗布している。そして、折り重ね用折罫線１６を正折りし、裏片１８の裏面に表片１４を糊付けする。なお、糊４８は裏片１８の裏面に塗布してもよい。この時、包装体形成片１２は折り畳み状態となり、この状態で、商品である収容物を包装する薬局等へ出荷される。
【００２４】
ＰＴＰホルダー１０は、表片１４と裏片１８が折り重ね用折罫線１６で正折りされて糊付けされ合掌状態に折り重ねられる。しかし糊４８は折り重ね用折罫線１６と透孔２４の間の狭い面積に塗布されているため、表片１４は、折り重ね用折罫線１６の反対側の側縁部１４ａを裏片１８から引き離して、弾性変形させて開くことができる。図５に示すように、開いた表片１４の裏面にＰＴＰシート４０を入れ、プラスチック成形体４２の突出部４２ａを透孔２４に差し込み、セットする。一度セットしたＰＴＰシート４０は、表片１４の弾性変形が復元し、裏片１８側に閉じた状態に戻ることにより、図１に示すように表片１４と裏片１８に挟まれて係止される。
【００２５】
そして、覆い片２２を開閉用折罫線２０で閉じる方向に正折りする。表片１４の係止凸部２６は、開閉用折罫線２０を超えて覆い片２２の裏面に重ねられており、係止凸部２６の先端部が覆い片２２の裏面に当接して滑りつつ覆い片２２を撓ませながら摺動し、覆い片２２が閉じない方向に付勢する。その後、９０°以上の所定角度に達すると、図２に示すように、係止凸部２６は覆い片２２の裏面を滑って係止溝部３２に入り、覆い片２２の弾性変形が復元する。
【００２６】
係止凸部２６は、覆い片２２の表片１４側の面の、係止溝部３２の側縁部に当接し、今度は逆に覆い片２２が開かなくなる方向に付勢する。また、表片１４は係止凸部２６が覆い片２２の側縁部に押し付けられているため裏片１８から開くことがない。覆い片２２には、係止溝部３２に連続する短い切断線３３が設けられ、表片１４の係止凸部２６が係止溝部３２に差し込まれたときに係止凸部２６に押されて切断線３３が開き、覆い片２２の係止溝部３２の側縁部付近が係止凸部２６に重なり、覆い片２２を閉じる方向に確実に力を加える。また、切断線３３により係止凸部２６が係止溝部３２に差し込まれやすくなり、係止溝部３２の周囲が破損することも防ぐ。
【００２７】
さらに覆い片２２を開閉用折罫線２０で閉じる方向に正折りする。差込突起３４を差込孔２８に差し込み、覆い片２２が表片１４に閉じた状態となり、図３に示すように包装が完了する。差込孔２８の両端部には短い切断線が設けられているため、差込突起３４が差し込みやすく、また、差込孔２８の周囲が破損することがない。この状態でＰＴＰホルダー１０を携帯しても、覆い片２２でＰＴＰシート４０の突出部４２ａが覆われているため、不用意に突出部４２ａに力が加えられて錠剤４４が出ることがない。
【００２８】
錠剤４４を服用する時は、図６に示すように、覆い片２２のスリット部３６に指を入れて開閉用折罫線２０側に移動させ、覆い片２２を弾性変形させて差込突起３４を差込孔２８から抜いて開封する。覆い片２２は、係止凸部２６により閉じる方向に付勢されているが、ある程度の力を加えると開くことができる。そして、表片１４の透孔２４から出ている突出部４２ａを押し、錠剤４４が押されて蓋材シート４６を破断して取り出す。蓋材シート４６を覆う裏片１８には透孔３０が設けられているため、透孔３０から錠剤４４を取り出すことができる。
【００２９】
この実施形態のＰＴＰホルダー１０によれば、簡単な構造で、ＰＴＰシート４０を簡単な作業で確実に取り付けて包装することができ、ＰＴＰシート４０を保護することができ、ＰＴＰシート４０の蓋材シート４６が不用意に破れたり錠剤４４が飛び出したりすることを防ぐ。ＰＴＰシート４０は、表片１４の弾性力で押さえられ、さらに係止凸部２６が覆い片２２に押さえられて裏片１８から開くことがないため、確実に保持される。薬局等で包装する工程が簡単で、作業効率が良く、また使用者自身でも包装することができ便利である。開封する時は、スリット部３６に指をかけて覆い片２２を弾性変形させるだけで簡単に開封することができ、病気の人や高齢者でも使用しやすい。
【００３０】
この他、ＰＴＰホルダー１０に、錠剤４４についての情報が印刷部３８に印刷されているため、錠剤４４の成分や使用方法等を確認することができる。また、錠剤４４を服用した日付や時間を記入する欄が印刷されているため、服用の履歴を残すことができる。これにより、服用時間を一定時間開ける錠剤４４等の場合にも、管理しやすく、間違いを防ぐことができる。
【００３１】
次にこの考案の第二実施形態について図７、図８に基づいて説明する。なお、ここで、上記実施形態と同様の部材は同様の符号を付して説明を省略する。この実施形態のＰＴＰホルダー５０は、紙製等の一枚のシートで形成された包装体形成片５２を組み立てて設けられている。図７は、包装体形成片５２を表面から見た展開図であり、包装体形成片５２には、ＰＴＰシート４０を表面から覆う表片１４と、表片１４に折り重ね用折罫線１６を介して連続しＰＴＰシート４０の裏面を覆う裏片１８と、裏片１８に開閉用折罫線２０を介して連続し前記表片１４を覆う覆い片５４が設けられている。
【００３２】
覆い片５４の形状は、連接する裏片１８に比べて、連接している幅方向の長さがほぼ同じであり、連接方向の長さは、裏片１８より少し長い矩形である。覆い片５４の、開閉用折罫線２０とは反対側の側縁部５４ａには、側縁部５４ａの中間に、覆い片５４の中央に向ってくぼむ切欠部５６が設けられている。切欠部５６の形状は台形であり、覆い片５４の中央に近い底部５６ａは側縁部５４ａに対して平行な直線であり、底部５６ａの両端部と側縁部５４ａを結ぶ一対の対辺５６ｂは、底部５６ａに近づくにつれて互いに間隔が狭くなる。一対の対辺５６ｂと、底部５６ａとが交差する部分には、対辺５６ｂに沿うＶ字形に形成され底部５６ａよりも少し深い溝部５６ｃが各々形成されている。一対の溝部５６ｃの間の底部５６ａは、覆い片５４の中央から外側に向かって突出する差込突起５８となる。
【００３３】
差込突起５８は台形状であり、底部５６ａが先端部となり、底部５６ａに対して平行な幅は、先端部が細く、溝部５６ｃの底に接する基端部が太くなっている。側縁部５４ａの切欠部５６以外の部分は、覆い片５４を開封する際の手がかり部である押し突起６０となる。押し突起６０は、覆い片５４を表片１４に重ねた時に表片１４よりも外側に突出する。その他の構成は、上述のＰＴＰホルダー１０と同様である。
【００３４】
この実施形態のＰＴＰホルダー５０の組立方法は、上記実施の形態と同様であり、表片１４の裏面の、折り重ね用折罫線１６の両端の近傍に、糊４８を塗布し、折り重ね用折罫線１６を正折りし、裏片１８の裏面に表片１４を糊付けする。表片１４を、弾性変形させて裏片１８から開き、開いた表片１４の裏面にＰＴＰシート４０を入れ、プラスチック成形体４２の突出部４２ａを透孔２４に差し込み、セットする。覆い片５４を開閉用折罫線２０で閉じる方向に正折りし、係止凸部２６は覆い片５４の裏面を滑って係止溝部３２に入り、覆い片２２が開かなる方向に付勢する。また、表片１４は係止凸部２６が覆い片５４の側縁部に押し付けられているため裏片１８から開くことがない。
【００３５】
さらに覆い片５４を開閉用折罫線２０で閉じる方向に正折りする。差込突起５８を差込孔２８に差し込み、覆い片５４が表片１４に閉じた状態となり、図８に示すように包装が完了する。
【００３６】
錠剤４４を服用する時は、図９に示すように、覆い片５４の押し突起６０を押して開閉用折罫線２０側に移動させ、例えば、押し突起６０を表片１４の折り重ね用折罫線１６を有する側縁部と一致する位置まで移動させ、覆い片５４を弾性変形させる。すると、差込突起５８が差込孔２８から引き抜かれ、開封される。表片１４の透孔２４から出ている突出部４２ａを押し、錠剤４４が押されて蓋材シート４６を破断して取り出す。蓋材シート４６を覆う裏片１８には透孔３０が設けられているため、透孔３０から錠剤４４を取り出すことができる。
【００３７】
この実施形態のＰＴＰホルダー５０によれば、上記実施の形態と同様の効果を有するものである。開封する時に親指を押し突起６０に当て、その他の指を表片１４の折り重ね用折罫線１６を有する側縁部に当てて、互いに近づける方へ力を加えれば、片手で簡単に差込突起５８を差込孔２８から引き抜いて開封することができる。
【００３８】
なお、この考案のＰＴＰホルダーは、上記各実施の形態に限定されるものではなく、収容する錠剤の数は適宜変更可能であり、また収容されるものは、錠剤やカプセル等の薬剤に限らず、他の商品でも良い。裏片に透孔は設けられていないものでも良く、錠剤を服用する度に表片を弾性変形させてＰＴＰシートを外して服用してもよい。表片の、側縁部の両端以外に係止凸部が設けられていてもよく、係止溝部の位置も係止凸部の位置に合わせて変更可能である。
【符号の説明】
【００３９】
１０，５０  ＰＴＰホルダー
１２，５２  包装体形成片
１４  表片
１６  折り重ね用折罫線
１８  裏片
２０  開閉用折罫線
２２  覆い片
２４，３０  透孔
２６  係止凸部
２８  差込孔
３２  係止溝部
３４，５８  差込突起
３６  スリット部
３８  印刷部
４０  ＰＴＰシート
４２  プラスチック成形体
４２ａ  突出部
４２ｂ  フランジ部
４４  錠剤
４６  蓋材シート
４８  糊
６０  押し突起
【図１】
0003218547.tif 000003
【図２】
0003218547.tif 000004
【図３】
0003218547.tif 000005
【図４】
0003218547.tif 000006
【図５】
0003218547.tif 000007
【図６】
0003218547.tif 000008
【図７】
0003218547.tif 000009
【図８】
0003218547.tif 000010
【図９】
0003218547.tif 000011
【手続補正書】
【提出日】平成30年7月18日(2018.7.18)
【手続補正１】
【補正対象書類名】明細書
【補正対象項目名】００１１
【補正方法】変更
【補正の内容】
【００１１】
前記表片と前記裏片は、互いにほぼ同じ形状であり、前記表片の前記裏面と反対側の側縁部の両端には外側に突出する係止凸部が設けられ、前記覆い片と前記裏片の間に位置する前記開閉用折罫線には前記係止凸部が差し込まれる係止溝部が形成されている。前記表片と前記裏片が重ねられた時、前記係止凸部の先端は、前記開閉用折罫線を超えて前記覆い片に達し、前記覆い片を前記開閉用折罫線で折って前記表面に重ねると、前記係止凸部が前記係止溝部に差し込まれ、前記覆い片の前記表片側の面の、前記係止溝部の側縁部に前記係止凸部が当接し、二つ折り状態を維持する。
【手続補正２】
【補正対象書類名】実用新案登録請求の範囲
【補正対象項目名】請求項４
【補正方法】変更
【補正の内容】
【請求項４】
前記表片の、前記裏折り重ね用折罫線と反対側の側縁部の両端には外側に突出する係止凸部が設けられ、前記覆い片と前記裏片の間に位置する前記開閉用折罫線には前記係止凸部が差し込まれる係止溝部が形成され、前記表片と前記裏片が重ねられた時、前記係止凸部の先端は、前記開閉用折罫線を超えて前記覆い片に達し、前記覆い片を前記開閉用折罫線で折って前記表面に重ねると、前記係止凸部が前記係止溝部に差し込まれ、前記覆い片の前記表片側の面の、前記係止溝部の側縁部に前記係止凸部が当接し、前記覆い片が開かなくなる方向に付勢し、前記表片は前記係止凸部が前記覆い片の側縁部に押し付けられ前記裏片に閉じられる請求項１記載のＰＴＰホルダー。
【手続補正書】
【提出日】平成30年8月21日(2018.8.21)
【手続補正１】
【補正対象書類名】実用新案登録請求の範囲
【補正対象項目名】全文
【補正方法】変更
【補正の内容】
【実用新案登録請求の範囲】
【請求項１】
収容物を内側に収容した突出部と前記突出部の周囲に設けられたフランジ部を有するプラスチック成形体に、破断可能な蓋材シートが貼り付けられて、前記突出部の開口部が閉鎖されたＰＴＰシートが取り付けられてこれを保護するＰＴＰホルダーにおいて、
前記ＰＴＰホルダーは、前記ＰＴＰシートの前記プラスチック成形体側の面を覆い前記突出部が差し込まれる透孔が設けられている表片と、前記表片に折り重ね用折罫線を介して連続し前記ＰＴＰシートの前記蓋材シート側の面を覆う裏片と、前記裏面に開閉用折罫線を介して連続し前記表片を覆う覆い片が設けられ、
前記表片と前記裏片は、前記折り重ね用折罫線を介して二つ折りされ、前記折り重ね用折罫線と前記透孔の間の一部を糊付けして互いに重ねられ、前記表片と前記裏片を弾性変形させて開いて、前記ＰＴＰシートを前記表片と前記裏片の間に入れ、前記表片と前記裏片の弾性変形を復元して前記ＰＴＰシートを保持するものであり、
前記覆い片の前記開閉用折罫線と反対側の端縁部には、外側に突出する差込突起が設けられ、前記表面には、前記差込突起が差し込まれて係止され前記覆い片が前記表片に閉じられる差込孔が形成され、前記覆い片を弾性変形させることにより前記差込突起が前記差込孔から引き抜かれて係止が解除され、前記覆い片には、前記覆い片を弾性変形させる際に保持する手がかり部が設けられていることを特徴とするＰＴＰホルダー。
【請求項２】
前記手がかり部は、前記差込突起の基端部の近傍に形成され前記差込突起の突出方向に交差する方向に長いスリット部であり、前記スリット部は、前記覆い片を表裏方向に貫通して形成され、
前記覆い片を開く時は、前記スリット部に指を入れて前記スリット部の側縁部に指を引っ掛けて前記開閉用折罫線側に移動させて前記覆い片を弾性変形させ、前記差込突起を前記差込孔から引き抜くことができる請求項１記載のＰＴＰホルダー。
【請求項３】
前記手がかり部は、前記覆い片の、前記開封用折罫線と反対側の端縁部で、前記差込突起以外の部分に設けられた押し突起であり、前記押し突起は前記差込突起より長く、前記覆い片を前記表片に重ねた時に前記表片よりも外側に突出して形成され、
前記覆い片を開く時は、前記押し突起を前記表片の前記開閉用折罫線側に移動させて前記覆い片を弾性変形させ、前記差込突起を前記差込孔から引き抜くことができる請求項１記載のＰＴＰホルダー。
【請求項４】
前記表片の、前記折り重ね用折罫線と反対側の側縁部の両端には外側に突出する係止凸部が設けられ、前記覆い片と前記裏片の間に位置する前記開閉用折罫線には前記係止凸部が差し込まれる係止溝部が形成され、前記表片と前記裏片が重ねられた時、前記係止凸部の先端は、前記開閉用折罫線を超えて前記覆い片に達し、前記覆い片を前記開閉用折罫線で折って前記表面に重ねると、前記係止凸部が前記係止溝部に差し込まれ、前記覆い片の前記表片側の面の、前記係止溝部の側縁部に前記係止凸部が当接し、前記覆い片が開かなくなる方向に付勢し、前記表片は前記係止凸部が前記覆い片の側縁部に押し付けられ前記裏片に閉じられる請求項１記載のＰＴＰホルダー。
【請求項５】
前記ＰＴＰホルダーには、前記ＰＴＰシートに収容された収容物に関する情報等が表示されている請求項１記載のＰＴＰホルダー。